(57)【要約】【課題】ロケータ機能を有する複数のリモコン装置を備えた電子機器において、簡単な構成で、所在の判らなくなったリモコン装置を音声により識別することができる電子機器を提供することを目的とする。【解決手段】電子機器１は、電子機器本体２と複数のリモコン装置３，２３，２４とを備えている。複数のリモコン装置３，２３，２４の各々は、リモコン装置３，２３，２４の位置を報知する報知部１６を備えている。報知部１６は、異なる音声を発生する複数の発音部材２５〜２７を有するとともに、複数のリモコン装置３，２３，２４の各々において設定された識別コードＲ１〜Ｒ３に対応して、複数の発音部材２５〜２７のうち、いずれか１つの発音部材により音声を発生する。【選択図】図１
2009253452.tif 000002
【特許請求の範囲】
【請求項１】
電子機器本体と、前記電子機器本体を遠隔操作するためのリモコン信号を送信する複数のリモコン装置とを備えた電子機器において、
前記電子機器本体は、前記リモコン信号を受信するリモコン信号受信部と、前記リモコン装置の位置を検出するための位置検出信号を生成する第１の制御部と、前記位置検出信号を送信する位置検出信号送信部とを備え、
前記複数のリモコン装置の各々は、前記電子機器本体の操作を行うための操作部と、前記操作部の操作内容に対応した前記リモコン信号を送信するリモコン信号送信部と、前記位置検出信号を受信する位置検出信号受信部と、前記リモコン装置の位置を報知する報知部と、前記位置検出信号受信部が前記位置検出信号を受信した場合に、前記報知部に前記リモコン装置の位置を報知させる第２の制御部とを備え、
前記報知部は、異なる音声を発生する複数の発音部材を有するとともに、前記複数のリモコン装置の各々において設定された識別コードに対応して、前記複数の発音部材のうち、いずれか１つの発音部材により音声を発生することを特徴とする電子機器。
【請求項２】
前記複数のリモコン装置の各々は、前記音声を変更するための音声変更処理部を更に備えることを特徴とする請求項１に記載の電子機器。
【請求項３】
電子機器本体と、前記電子機器本体を遠隔操作するためのリモコン信号を送信する複数のリモコン装置とを備えた電子機器において、
前記電子機器本体は、前記リモコン信号を受信するリモコン信号受信部と、前記リモコン装置の位置を検出するための位置検出信号を生成する第１の制御部と、前記位置検出信号を送信する位置検出信号送信部とを備え、
前記複数のリモコン装置の各々は、前記電子機器本体の操作を行うための操作部と、前記操作部の操作内容に対応した前記リモコン信号を送信するリモコン信号送信部と、前記位置検出信号を受信する位置検出信号受信部と、前記リモコン装置の位置を報知する報知部と、前記位置検出信号受信部が前記位置検出信号を受信した場合に、前記報知部に前記リモコン装置の位置を報知させる第２の制御部とを備え、
前記報知部は、複数の異なる音声データが記憶された音声データ記憶部と、前記複数のリモコン装置の各々において設定された識別コードに対応して、前記複数の異なる音声データのうち、いずれか１つの音声データを処理して音声信号に変換する音声データ処理部と、前記音声データ処理部により変換された前記音声信号に基づいて音声を発生する発音部材を有することを特徴とする電子機器。
【請求項４】
前記複数のリモコン装置の各々は、前記音声データを変更するための音声データ変更処理部を更に備えることを特徴とする請求項３に記載の電子機器。
【請求項５】
前記電子機器本体は、テレビ受信装置本体であることを特徴とする請求項１乃至請求項４のいずれか１項に記載の電子機器。
【発明の詳細な説明】
【技術分野】
【０００１】
本発明は、リモコン装置を備えたテレビ受信装置等の電子機器に関する。
【背景技術】
【０００２】
一般に、テレビ受信装置等の電子機器は、電子機器本体を遠隔操作するためのリモコン装置を備えている。例えば、テレビ受信装置においては、リモコン装置に設けられた操作部の操作内容に対応して、電子機器本体を遠隔操作するための制御信号（以下、「リモコン信号」という。）をリモコン装置からテレビ受信装置本体に送信することにより、テレビ本体のチャンネルや音量等を操作するように構成されている。
【０００３】
また、一般に、リモコン装置を備えた電子機器においては、リモコン装置の置き忘れや紛失により、リモコン装置の所在が判らなくなった場合に、当該リモコン装置を探索するためのロケータ機能（位置検出機能）が採用されている。より具体的には、例えば、リモコン装置探索用の操作ボタンと、リモコン装置の位置を検出するための信号（以下、「位置検出信号」という。）を送信するための位置検出信号送信部を備えた電子機器本体と、電子機器本体から送信された位置検出信号を受信する位置検出信号受信部と、リモコン装置の位置を報知するための報知部を備えたリモコン装置からなる電子機器が開示されている。そして、リモコン装置の所在が判らなくなった場合は、電子機器本体の操作スイッチにて所定の操作を実行すると、位置検出信号送信部から所定の位置検出信号が送信され、リモコン装置において、位置検出信号を受信すると、報知部において、所定期間、音声が発生して、リモコン装置の位置をユーザーに報知する構成となっている（例えば、特許文献１参照）。
【０００４】
また、リモコン装置を備えたテレビ受信装置の近隣（例えば、隣接した部屋等）に、他のリモコン装置を備えた他のテレビ受信装置が存在する場合、所在が判らなくなったリモコン装置を探索するために、位置検出信号が送信されると、探索しているリモコン装置のみならず、他のリモコン装置からも音声が発生してしまうという不都合が生じていた。また、他のリモコン装置から送信されたリモコン信号により、テレビ受信装置のチャンネルや音量等が操作されてしまい、テレビ本体側で誤作動が生じるという問題があった。
【０００５】
そこで、このような不都合を回避すべく、リモコン装置に識別コード（ＩＤコード）を設定する方法が採用されている。このような方法により、電子機器本体であるテレビ本体において設定された識別コードと同じ識別コードが設定されたリモコン装置のみから音声を発生して報知することが可能になるため、複数の電子機器に付属する複数のリモコン装置が存在する場合であっても、所在が判らなくなった特定のリモコン装置を探索することができると記載されている（例えば、特許文献２参照）。
【０００６】
また、同様に、１つの電子機器（例えば、テレビ受信装置）が複数のリモコン装置を備える場合（例えば、特許文献３参照）においても、複数のリモコン装置の各々に識別コードを設定することにより、電子機器本体において設定された識別コードと同じ識別コードが設定されたリモコン装置のみから音声を発生して報知することが可能になる。従って、１つの電子機器に付属する複数のリモコン装置が存在する場合であっても、所在が判らなくなった特定のリモコン装置のみを探索することが可能になる。
【特許文献１】特開２０００−９１９３０号公報
【特許文献２】特開２００２−３４５０５４号公報
【特許文献３】特開２００４−１５３７０２号公報
【発明の開示】
【発明が解決しようとする課題】
【０００７】
ここで、複数のリモコン装置を備える電子機器において、所在の判らなくなったリモコン装置を探索する場合、各リモコン装置に事前に別個の識別コードを設定していたとしても、各リモコン装置に設定した識別コードが不明となっている場合（即ち、ユーザーが各リモコン装置に対応する識別コードを忘れている場合）が多い。この場合、所在の判らなくなったリモコン装置の識別コードが不明となるため、設定された全ての識別コードにより、所在の判らなくなったリモコン装置を探すことが必要になる。そうすると、リモコン装置を探索する際に、識別コードが設定された複数のリモコン装置の全てで同じ音声が発生することになるため、所在の判らなくなったリモコン装置を音声により識別することが困難になり、結果として、所在が判らなくなったリモコン装置の探索が非常に困難になるという問題があった。
【０００８】
そこで、本発明は、上述の問題に鑑みてなされたものであり、ロケータ機能を有する複数のリモコン装置を備えた電子機器において、簡単な構成で、所在の判らなくなったリモコン装置を音声により識別することができる電子機器を提供することを目的とする。
【課題を解決するための手段】
【０００９】
上記目的を達成するために、請求項１に記載の発明は、電子機器本体と、電子機器本体を遠隔操作するためのリモコン信号を送信する複数のリモコン装置とを備えた電子機器において、電子機器本体は、リモコン信号を受信するリモコン信号受信部と、リモコン装置の位置を検出するための位置検出信号を生成する第１の制御部と、位置検出信号を送信する位置検出信号送信部とを備え、複数のリモコン装置の各々は、電子機器本体の操作を行うための操作部と、操作部の操作内容に対応したリモコン信号を送信するリモコン信号送信部と、位置検出信号を受信する位置検出信号受信部と、リモコン装置の位置を報知する報知部と、位置検出信号受信部が位置検出信号を受信した場合に、報知部にリモコン装置の位置を報知させる第２の制御部とを備え、報知部は、異なる音声を発生する複数の発音部材を有するとともに、複数のリモコン装置の各々において設定された識別コードに対応して、複数の発音部材のうち、いずれか１つの発音部材により音声を発生することを特徴とする。
【００１０】
同構成によれば、所在の判らなくなったリモコン装置の識別コードが不明であり、複数のリモコン装置の各々において設定された全ての識別コードにより、所在の判らなくなったリモコン装置を探索する場合であっても、識別コードが設定された複数のリモコン装置の各々において異なる音声が発生することになる。従って、所在の判らなくなったリモコン装置を音声により識別することが容易になり、結果として、所在が判らなくなったリモコン装置の探索が非常に容易になる。
【００１１】
請求項２に記載の発明は、請求項１に記載の電子機器であって、複数のリモコン装置の各々は、音声を変更するための音声変更処理部を更に備えることを特徴とする。同構成によれば、ユーザーが、発音部材において発生される音声を、好みの音声に任意に設定することが可能になる。
【００１２】
請求項３に記載の発明は、電子機器本体と、電子機器本体を遠隔操作するためのリモコン信号を送信する複数のリモコン装置とを備えた電子機器において、電子機器本体は、リモコン信号を受信するリモコン信号受信部と、リモコン装置の位置を検出するための位置検出信号を生成する第１の制御部と、位置検出信号を送信する位置検出信号送信部とを備え、複数のリモコン装置の各々は、電子機器本体の操作を行うための操作部と、操作部の操作内容に対応したリモコン信号を送信するリモコン信号送信部と、位置検出信号を受信する位置検出信号受信部と、リモコン装置の位置を報知する報知部と、位置検出信号受信部が位置検出信号を受信した場合に、報知部にリモコン装置の位置を報知させる第２の制御部とを備え、報知部は、複数の異なる音声データが記憶された音声データ記憶部と、複数のリモコン装置の各々において設定された識別コードに対応して、複数の異なる音声データのうち、いずれか１つの音声データを処理して音声信号に変換する音声データ処理部と、音声データ処理部により変換された音声信号に基づいて音声を発生する発音部材を有することを特徴とする。
【００１３】
同構成によれば、所在の判らなくなったリモコン装置の識別コードが不明であり、複数のリモコン装置の各々において設定された全ての識別コードにより、所在の判らなくなったリモコン装置を探す場合であっても、識別コードが設定された複数のリモコン装置の各々において異なる音声が発生することになる。従って、所在の判らなくなったリモコン装置を音声により識別することが容易になり、結果として、所在が判らなくなったリモコン装置の探索が非常に容易になる。
【００１４】
請求項４に記載の発明は、請求項３に記載の電子機器であって、複数のリモコン装置の各々は、音声データを変更するための音声データ変更処理部を更に備えることを特徴とする。同構成に寄れば、ユーザーが、発音部材において発生される音声を、好みの音声に任意に設定することが可能になる。
【００１５】
なお、請求項５に記載の発明のように、請求項１乃至請求項４のいずれか１項に記載の発明は、電子機器本体として、テレビ受信装置本体を使用する場合に、好適に使用できる。
【発明の効果】
【００１６】
本発明によれば、リモコン装置を探索するためのロケータ機能を有する電子機器において、所在の判らなくなったリモコン装置を音声により識別することが容易になり、所在が判らなくなったリモコン装置の探索が非常に容易になる。
【発明を実施するための最良の形態】
【００１７】
（第１の実施形態）
以下に、本発明の好適な実施形態について説明する。図１は、本発明の第１の実施形態に係る電子機器の全体構成を示す概略図である。図１に示すように、この電子機器１は、電子機器本体２と、電子機器本体２の操作を行うための複数のリモコン装置３，２３，２４を備えている。これらのリモコン装置３，２３，２４は、いずれも電子機器本体２に対応しており、キー操作に対応する赤外線信号を電子機器本体２に向けて送信する。
【００１８】
電子機器本体２は、リモコン装置３，２３，２４からの光信号を受光する受光素子４と、当該受光素子４を介して、リモコン信号を受信するリモコン信号受信部５を備えている。また、電子機器本体２は、所在の判らなくなったリモコン装置３，２３，２４を探索するための操作スイッチ６と、リモコン装置３，２３，２４の識別コードを記憶するための識別コード記憶部７と、送信用のアンテナ８を介して、位置検出信号をリモコン装置３，２３，２４に向けて送信するための位置検出信号送信部９とを備えている。また、電子機器本体２は、操作スイッチ６、リモコン信号受信部５、識別コード記憶部７、および位置検出信号送信部９に接続され、リモコン信号受信部５、識別コード記憶部７、および位置検出信号送信部９の制御を行う第１の制御部であるＣＰＵ１０を備えている。
【００１９】
リモコン装置３は、ユーザーが電子機器本体２の操作を行うための操作部１１と、操作部１１の操作内容に対応したリモコン信号を送信するリモコン信号送信部１２と、リモコン信号に対応する赤外線等の光信号を発光する発光素子１３を備えている。また、リモコン装置３は、受信用のアンテナ１４を介して、電子機器本体２から送信された位置検出信号を受信する位置検出信号受信部１５と、リモコン装置３の所在を報知するための報知部１６と、リモコン装置３の識別コードを記憶するための識別コード記憶部１９を備えている。また、リモコン装置３は、操作部１１、リモコン信号送信部１２、位置検出信号受信部１５、報知部１６、および識別コード記憶部１９に接続され、リモコン信号送信部１２、報知部１６、および識別コード記憶部１９の制御を行う第２の制御部であるＣＰＵ１７と、当該ＣＰＵ１７に接続されたメモリであるＲＯＭ１８を備えている。なお、ＣＰＵ１７は、ＲＯＭ１８に記憶されているプログラムに従い、各部の制御を行う。また、図１に示すように、他のリモコン装置であるリモコン装置２３，２４は、上述のリモコン装置３と同様に構成されている。
【００２０】
図２は、本発明の第１の実施形態に係るリモコン装置の外観を示す図である。なお、ここでは、テレビ受信装置に使用されるリモコン装置を例に挙げて説明する。図２に示すように、リモコン装置３の操作部１１には、複数の操作キー２１が設けられており、当該操作キー２１は、電源キー３０、チャンネルキー３１，３２、音量キー３３、放送形式切換キー３５、および報知停止用スイッチ３６から構成されている。電源キー３０は、電子機器本体２であるテレビ受信装置本体のＯＮ／ＯＦＦ切換を行う際に操作するためのものであり、チャンネルキー３１，３２は、テレビ受信装置本体のチャンネルを切換える際に操作するためのものである。また、音量キー３３は、テレビ受信装置本体の音量調整を行う際に操作し、「＋」キーを操作すると、テレビ受信装置本体の音量が上がり、「−」キーを操作すると、テレビ受信装置本体の音量が下がるように構成されている。また、放送形式切換キー３５は、テレビ受信装置で受信する放送形式（ＢＳデジタル放送、ＣＳデジタル放送、地上波デジタル放送、地上波アナログ放送、およびケーブル放送）を切換える際に操作するためのものである。また、報知停止用スイッチ３６は、報知部１６による報知を停止させるためのものである。なお、図２に示すように、リモコン装置３には、当該リモコン装置３の電源としての電池３４が設けられている。また、リモコン装置２３，２４の外観構成は、図２に示したリモコン装置３の外観構成と同様であるため、ここでは詳しい説明を省略する。
【００２１】
以上の構成の下、ユーザーにより、リモコン装置３（または、リモコン装置２３，２４）の操作部１１の操作が行われると、ＣＰＵ１７は、操作部１１の操作内容に対応したリモコン信号を送信するように制御信号を発生し、リモコン信号送信部１２が、当該制御信号に基づいて、操作部１１の操作内容に対応したリモコン信号を電気信号として送信する。次いで、発光素子１３において、電気信号であるリモコン信号が赤外線等の光信号に変換されるとともに、当該光信号が電子機器本体２に向けて発光される。次いで、電子機器本体２の受光素子４が、光信号であるリモコン信号を受光するとともに、受光した光信号の光量に応じて、光信号であるリモコン信号を電気信号に変換する。次いで、電気信号に変換されたリモコン信号が、リモコン信号受信部５において受信されるとともに、リモコン信号受信部５を介して、ＣＰＵ１０に入力される。そして、当該ＣＰＵ１０により、リモコン信号に基づく電子機器本体２の制御（例えば、電子機器本体２がテレビ受信装置本体の場合は、チャンネルや音量等の制御）が行われる構成となっている。
【００２２】
ここで、本実施形態においては、報知部１６が、各リモコン装置３，２３，２４において設定された識別コードに対応して、異なる音声を発生する点に特徴がある。より具体的には、図１に示すように、各リモコン装置３，２３，２４において、報知部１６には、複数（本実施形態においては、３つ）の発音部材２５〜２７が設けられている。これらの発音部材２５〜２７は、それぞれ異なる音声を発生するものであり、発音部材２５〜２７の各々は、リモコン装置３，２３，２４において設定された識別コードの何れかに対応して音声を発生する構成となっている。例えば、リモコン装置３において設定された識別コードをＲ１、リモコン装置２３において設定された識別コードをＲ２、リモコン装置２４において設定された識別コードをＲ３とした場合、発音部材２５は、リモコン装置３において設定された識別コードＲ１に対応して音声を発生し、発音部材２６は、リモコン装置２３において設定された識別コードＲ２に対応して音声を発生し、発音部材２７は、リモコン装置２４において設定された識別コードＲ３に対応して音声を発生する構成となっている。このような構成により、設定された全ての識別コードＲ１〜Ｒ３により、所在の判らなくなったリモコン装置（例えば、リモコン装置２４）を探す場合であっても、識別コードＲ１〜Ｒ３が設定された複数のリモコン装置３，２３，２４において異なる音声が発生することになるため、所在の判らなくなったリモコン装置２４を音声により識別することが容易になり、結果として、所在が判らなくなったリモコン装置の探索が非常に容易になる。
【００２３】
次に、所在の判らなくなったリモコン装置を探索する際の手順について説明する。図３は、本発明の第１の実施形態に係る電子機器において、リモコン装置を探索する際の手順を示すフローチャートである。なお、ここでは、複数のリモコン装置３，２３，２４のうち、リモコン装置２４の所在が判らなくなった場合であって、リモコン装置３，２３，２４に設定された全ての識別コードＲ１〜Ｒ３により、所在の判らなくなったリモコン装置２４を探索する場合について説明する。また、所在の判らなくなったリモコン装置２４の識別コードＲ３が、ユーザーにおいて不明となっている場合について説明する。
【００２４】
所在の判らなくなったリモコン装置２４の識別コードＲ３が不明となっているため、全ての識別コードＲ１〜Ｒ３により、所在の判らなくなったリモコン装置２４を探索することになる。従って、まず、ユーザーが、リモコン装置３の識別コードＲ１を含む位置検出信号を送信するために、電子機器本体２に設けられたリモコン装置探索用の操作スイッチ６を操作する（ステップＳ１）。そうすると、ＣＰＵ１０は、操作スイッチ６の操作を検知して、リモコン装置３の識別コードＲ１を含む位置検出信号を生成するとともに、位置検出信号送信部９に対して、識別コードＲ１を含む位置検出信号を送信するように制御信号を発生し、位置検出信号送信部９が、送信用のアンテナ８を介して、所定の電波に変調された、識別コードＲ１を含む位置検出信号を、所定期間（例えば、３０秒間）送信する（ステップＳ２）。
【００２５】
次いで、リモコン装置３，２３，２４の位置検出信号受信部１５が、受信用のアンテナ１４を介して、電子機器本体２から送信された識別コードＲ１を含む位置検出信号を受信するとともに、当該位置検出信号がＣＰＵ１７に入力される（ステップＳ３）。なお、この際、各リモコン装置３，２３，２４のＣＰＵ１７は、受信した位置検出信号に含まれる識別コードＲ１が、リモコン装置３，２３，２４の各々の識別コード記憶部１９で記憶している識別コードと一致しているか否かを解析する。即ち、リモコン装置３においては、設定されている識別コード（即ち、識別コード記憶部１９で記憶している識別コード）がＲ１であり、受信した位置検出信号に含まれる識別コードＲ１と一致しているため、リモコン装置３のＣＰＵ１７は、報知部１６に対して、リモコン装置３の位置を報知するように制御信号を発生し、報知部１６が、所定期間（例えば、３０秒間）、リモコン装置３において設定された識別コードＲ１に対応して音声を発生す発音部材２５により音声を発生して、リモコン装置３の位置をユーザーに報知する（ステップＳ４）。
【００２６】
一方、リモコン装置２３においては、設定されている識別コード（即ち、識別コード記憶部１９で記憶している識別コード）がＲ２であり、受信した位置検出信号に含まれる識別コードＲ１と一致していないため、リモコン装置２３のＣＰＵ１７は、報知部１６に対して、リモコン装置２３の位置を報知するように制御信号を発生せず、報知部１６は、リモコン装置２３において設定された識別コードＲ２に対応して音声を発生する発音部材２６により音声を発生しないことになる。
【００２７】
また、同様に、リモコン装置２４においては、設定されている識別コード（即ち、識別コード記憶部１９で記憶している識別コード）がＲ３であり、受信した位置検出信号に含まれる識別コードＲ１と一致していないため、リモコン装置２４のＣＰＵ１７は、報知部１６に対して、リモコン装置２４の位置を報知するように制御信号を発生せず、報知部１６は、リモコン装置２４において設定された識別コードＲ３に対応して音声を発生する発音部材２７により音声を発生しないことになる。
【００２８】
なお、本実施形態においては、リモコン装置３，２３，２４の電力消費量を小さくして、電源である電池３４の消耗を抑制すべく、受信用のアンテナ１４と位置検出信号受信部１５に対して、所定周期毎（例えば、１０秒毎）に、所定期間（例えば、５秒間）電力を供給する構成としている。
【００２９】
次に、ユーザーが、リモコン装置２３の識別コードＲ２を含む位置検出信号を送信するために、電子機器本体２に設けられたリモコン装置探索用の操作スイッチ６を操作する（ステップＳ５）。そうすると、ＣＰＵ１０は、操作スイッチ６の操作を検知して、リモコン装置２３の識別コードＲ２を含む位置検出信号を生成するとともに、位置検出信号送信部９に対して、識別コードＲ２を含む位置検出信号を送信するように制御信号を発生し、位置検出信号送信部９が、送信用のアンテナ８を介して、所定の電波に変調された、識別コードＲ２を含む位置検出信号を、所定期間（例えば、３０秒間）送信する（ステップＳ６）。
【００３０】
次いで、リモコン装置２３，２４の位置検出信号受信部１５が、受信用のアンテナ１４を介して、電子機器本体２から送信された識別コードＲ２を含む位置検出信号を受信するとともに、当該位置検出信号がＣＰＵ１７に入力される（ステップＳ７）。そして、各リモコン装置２３，２４のＣＰＵ１７は、受信した位置検出信号に含まれる識別コードＲ２が、リモコン装置２３，２４の各々の識別コード記憶部１９で記憶している識別コードと一致しているか否かを解析する。即ち、リモコン装置２３においては、設定されている識別コード（即ち、識別コード記憶部１９で記憶している識別コード）がＲ２であり、受信した位置検出信号に含まれる識別コードＲ２と一致しているため、リモコン装置２３のＣＰＵ１７は、報知部１６に対して、リモコン装置２３の位置を報知するように制御信号を発生し、報知部１６が、所定期間（例えば、３０秒間）、リモコン装置２３において設定された識別コードをＲ２に対応して音声を発生する発音部材２６により、リモコン装置３の発音部材２５が発生している音声と異なる音声を発生して、リモコン装置２３の位置をユーザーに報知する（ステップＳ８）。
【００３１】
一方、リモコン装置２４においては、設定されている識別コードがＲ３であり、受信した位置検出信号に含まれる識別コードＲ２と一致していないため、リモコン装置２４のＣＰＵ１７は、報知部１６に対して、リモコン装置２４の位置を報知するように制御信号を発生せず、報知部１６は、リモコン装置２４において設定された識別コードＲ３に対応して音声を発生する発音部材２７により音声を発生しないことになる。
【００３２】
次に、ユーザーが、リモコン装置２４の識別コードＲ３を含む位置検出信号を送信するために、電子機器本体２に設けられたリモコン装置探索用の操作スイッチ６を操作する（ステップＳ９）。そうすると、ＣＰＵ１０は、操作スイッチ６の操作を検知して、リモコン装置２４の識別コードＲ３を含む位置検出信号を生成するとともに、位置検出信号送信部９に対して、識別コードＲ３を含む位置検出信号を送信するように制御信号を発生し、位置検出信号送信部９が、送信用のアンテナ８を介して、所定の電波に変調された、識別コードＲ３を含む位置検出信号を、所定期間（例えば、３０秒間）送信する（ステップＳ１０）。
【００３３】
次いで、リモコン装置２４の位置検出信号受信部１５が、受信用のアンテナ１４を介して、電子機器本体２から送信された識別コードＲ３を含む位置検出信号を受信するとともに、当該位置検出信号がＣＰＵ１７に入力される（ステップＳ１１）。そして、リモコン装置２４のＣＰＵ１７は、受信した位置検出信号に含まれる識別コードＲ３が、リモコン装置２４の識別コード記憶部１９で記憶している識別コードと一致しているか否かを解析する。即ち、リモコン装置２４においては、設定されている識別コード（即ち、識別コード記憶部１９で記憶している識別コード）がＲ３であり、受信した位置検出信号に含まれる識別コードＲ３と一致しているため、リモコン装置２４のＣＰＵ１７は、報知部１６に対して、リモコン装置２４の位置を報知するように制御信号を発生し、報知部１６が、所定期間（例えば、３０秒間）、リモコン装置２４において設定された識別コードＲ３に対応して音声を発生する発音部材２７により、リモコン装置３の発音部材２５、およびリモコン装置２３の発音部材２６が発生している音声と異なる音声を発生して、リモコン装置２４の位置をユーザーに報知する（ステップＳ１２）。
【００３４】
この際、これらの発音部材２５〜２７は、それぞれ異なる音声を発生しているため、ユーザーは、所在の判らなくなったリモコン装置２４を音声により識別することが容易になり、所在の判らなくなったリモコン装置２４を容易に探索することが可能になる。即ち、上述のごとく、設定された全ての識別コードＲ１〜Ｒ３により、所在の判らなくなったリモコン装置２４を探す場合であっても、識別コードＲ１〜Ｒ３が設定された複数のリモコン装置３，２３，２４において異なる音声が発生することになるため、所在の判らなくなったリモコン装置２４を音声により識別することが容易になり、結果として、所在が判らなくなったリモコン装置の探索が容易になる。
【００３５】
リモコン装置２４の所在が判明した場合、発音部材２５〜２７により発生している音声の報知を強制的に停止させ、報知部１６による報知を停止させる必要があるため、リモコン装置３，２３，２４の各々における報知停止用スイッチ３６を操作することにより、報知部１６による報知を停止させることができる（ステップＳ１３）。より具体的には、報知停止用スイッチ３６の操作が行われると、ＣＰＵ１７は、報知部１６に対して制御信号を発生し、報知部１６における発音部材２５〜２７による音声の報知を停止させる。
【００３６】
なお、リモコン装置３（または、リモコン装置２３）の所在が判らなくなった場合も、上述のステップＳ１〜Ｓ１３と同様のステップにより、所在の判らなくなったリモコン装置３（または、リモコン装置２３）を探索することができる。
【００３７】
以上に説明した本実施形態によれば、以下の効果を得ることができる。
（１）本実施形態の電子機器１においては、報知部１６が、異なる音声を発生する複数の発音部材２５〜２７を有する構成としている。また、複数のリモコン装置３，２３，２４の各々において設定された識別コードＲ１〜Ｒ３に対応して、複数の発音部材２５〜２７のうち、いずれか１つの発音部材（例えば、識別コードがＲ３の場合は、発音部材２７）により音声を発生する構成としている。従って、所在の判らなくなったリモコン装置（例えば、リモコン装置２４）の識別コードが不明であり、設定された全ての識別コードＲ１〜Ｒ３により、所在の判らなくなったリモコン装置２４を探す場合であっても、識別コードＲ１〜Ｒ３が設定された複数のリモコン装置３，２３，２４の各々において異なる音声が発生することになる。従って、所在の判らなくなったリモコン装置２４を音声により識別することが容易になり、結果として、所在が判らなくなったリモコン装置２４の探索が非常に容易になる。
【００３８】
（第２の実施形態）
次に、本発明の第２の実施形態について説明する。図４は、本発明の第２の実施形態に係る電子機器の全体構成を示す概略図である。なお、電子機器本体の全体構成、リモコン装置の外観構成については、上述の第１の実施形態と同様であるため、ここでは詳しい説明を省略する。
【００３９】
本実施形態においては、上述の第１の実施形態と同様に、リモコン装置３の所在を報知するための報知部１６が、各リモコン装置３，２３，２４において設定された識別コードＲ１〜Ｒ３に対応して、異なる音声を発生する点に特徴がある。より具体的には、図４に示すように、各リモコン装置３，２３，２４において、報知部１６には、音声データが記憶された音声データ記憶部４０と、音声データ記憶部４０に記憶された音声データを処理して音声信号に変換する音声データ処理部４１と、音声データ処理部４１により変換された音声信号に基づいて音声を発生する発音部材４２が設けられている。音声データ記憶部４０には、各リモコン装置３，２３，２４において設定された識別コードＲ１〜Ｒ３に対応した異なる音声データが記憶されており、発音部材４２は、識別コードＲ１〜Ｒ３の何れかに対応した音声信号に基づいて音声を発生する構成となっている。
【００４０】
次に、所在の判らなくなったリモコン装置を探索する際の手順について説明する。図５は、本発明の第２の実施形態に係る電子機器において、リモコン装置を探索する際の手順を示すフローチャートである。なお、本実施形態においても、上述の第１の実施形態の場合と同様に、複数のリモコン装置３，２３，２４のうち、リモコン装置２４の所在が判らなくなった場合であって、リモコン装置３，２３，２４に設定された全ての識別コードＲ１〜Ｒ３により、所在の判らなくなったリモコン装置２４を探す場合について説明する。また、所在の判らなくなったリモコン装置２４の識別コードＲ３が、ユーザーにおいて不明となっている場合について説明する。
【００４１】
上述の第１の実施形態の場合と同様に、所在の判らなくなったリモコン装置２４の識別コードＲ３が不明となっているため、全ての識別コードＲ１〜Ｒ３により、所在の判らなくなったリモコン装置２４を探索することになる。まず、ユーザーが、リモコン装置３の識別コードＲ１を含む位置検出信号を送信するために、電子機器本体２に設けられたリモコン装置探索用の操作スイッチ６を操作する（ステップＳ２１）。そうすると、ＣＰＵ１０は、操作スイッチ６の操作を検知して、リモコン装置３の識別コードＲ１を含む位置検出信号を生成するとともに、位置検出信号送信部９に対して、識別コードＲ１を含む位置検出信号を送信するように制御信号を発生し、位置検出信号送信部９が、送信用のアンテナ８を介して、所定の電波に変調された、識別コードＲ１を含む位置検出信号を、所定期間（例えば、３０秒間）送信する（ステップＳ２２）。
【００４２】
次いで、リモコン装置３，２３，２４の位置検出信号受信部１５が、受信用のアンテナ１４を介して、電子機器本体２から送信された識別コードＲ１を含む位置検出信号を受信するとともに、当該位置検出信号がＣＰＵ１７に入力される（ステップＳ２３）。そして、各リモコン装置３，２３，２４のＣＰＵ１７は、受信した位置検出信号に含まれる識別コードＲ１が、リモコン装置３，２３，２４の各々の識別コード記憶部１９で記憶している識別コードと一致しているか否かを解析する。即ち、リモコン装置３においては、設定されている識別コード（即ち、識別コード記憶部１９で記憶している識別コード）がＲ１であり、受信した位置検出信号に含まれる識別コードＲ１と一致しているため、リモコン装置３のＣＰＵ１７は、報知部１６に対して、リモコン装置３の位置を報知するように制御信号を発生する。そうすると、報知部１６において、音声データ処理部４１が、音声データ記憶部４０に記憶された音声データのうち、識別コードＲ１に対応する音声データを読み出すとともに、当該音声データを処理して音声信号に変換し、発音部材４２が、所定期間（例えば、３０秒間）、音声データ処理部４１により変換された、識別コードＲ１に対応する音声信号に基づいて音声を発生して、リモコン装置３の位置をユーザーに報知する（ステップＳ２４）。
【００４３】
一方、リモコン装置２３においては、設定されている識別コードがＲ２であり、受信した位置検出信号に含まれる識別コードＲ１と一致していないため、リモコン装置２３のＣＰＵ１７は、報知部１６に対して、リモコン装置２３の位置を報知するように制御信号を発生しない。従って、報知部１６において、音声データ処理部４１による、音声データ記憶部４０に記憶された音声データの読み出し、および音声データの処理が行われず、発音部材４２により音声を発生しないことになる。
【００４４】
また、同様に、リモコン装置２４においては、設定されている識別コードがＲ３であり、受信した位置検出信号に含まれる識別コードＲ１と一致していないため、リモコン装置２４のＣＰＵ１７は、報知部１６に対して、リモコン装置２４の位置を報知するように制御信号を発生しない。従って、報知部１６において、音声データ処理部４１による、音声データ記憶部４０に記憶された音声データの読み出し、および音声データの処理が行われず、発音部材４２により音声を発生しないことになる。
【００４５】
次に、ユーザーが、リモコン装置２３の識別コードＲ２を含む位置検出信号を送信するために、電子機器本体２に設けられたリモコン装置探索用の操作スイッチ６を操作する（ステップＳ２５）。そうすると、ＣＰＵ１０は、操作スイッチ６の操作を検知して、リモコン装置２３の識別コードＲ２を含む位置検出信号を生成するとともに、位置検出信号送信部９に対して、識別コードＲ２を含む位置検出信号を送信するように制御信号を発生し、位置検出信号送信部９が、送信用のアンテナ８を介して、所定の電波に変調された、識別コードＲ２を含む位置検出信号を、所定期間（例えば、３０秒間）送信する（ステップＳ２６）。
【００４６】
次いで、リモコン装置２３，２４の位置検出信号受信部１５が、受信用のアンテナ１４を介して、電子機器本体２から送信された識別コードＲ２を含む位置検出信号を受信するとともに、当該位置検出信号がＣＰＵ１７に入力される（ステップＳ２７）。そして、各リモコン装置２３，２４のＣＰＵ１７は、受信した位置検出信号に含まれる識別コードＲ２が、リモコン装置２３，２４の各々の識別コード記憶部１９で記憶している識別コードと一致しているか否かを解析する。即ち、リモコン装置２３においては、設定されている識別コード（即ち、識別コード記憶部１９で記憶している識別コード）がＲ２であり、受信した位置検出信号に含まれる識別コードＲ２と一致しているため、リモコン装置２３のＣＰＵ１７は、報知部１６に対して、リモコン装置２３の位置を報知するように制御信号を発生する。そうすると、報知部１６において、音声データ処理部４１が、音声データ記憶部４０に記憶された音声データのうち、識別コードＲ２に対応する音声データを読み出すとともに、当該音声データを処理して音声信号に変換し、発音部材４２が、所定期間（例えば、３０秒間）、音声データ処理部４１により変換された、識別コードＲ２に対応する音声信号に基づいて、リモコン装置３の発音部材４２が発生している音声と異なる音声を発生して、リモコン装置２３の位置をユーザーに報知する（ステップＳ２８）。
【００４７】
一方、リモコン装置２４においては、設定されている識別コードがＲ３であり、受信した位置検出信号に含まれる識別コードＲ２と一致していないため、リモコン装置２４のＣＰＵ１７は、報知部１６に対して、リモコン装置２４の位置を報知するように制御信号を発生しない。従って、報知部１６において、音声データ処理部４１による、音声データ記憶部４０に記憶された音声データの読み出し、および音声データの処理が行われず、発音部材４２により音声を発生しないことになる。
【００４８】
次に、ユーザーが、リモコン装置２４の識別コードＲ３を含む位置検出信号を送信するために、電子機器本体２に設けられたリモコン装置探索用の操作スイッチ６を操作する（ステップＳ２９）。そうすると、ＣＰＵ１０は、操作スイッチ６の操作を検知して、リモコン装置２４の識別コードＲ３を含む位置検出信号を生成するとともに、位置検出信号送信部９に対して、識別コードＲ３を含む位置検出信号を送信するように制御信号を発生し、位置検出信号送信部９が、送信用のアンテナ８を介して、所定の電波に変調された、識別コードＲ３を含む位置検出信号を、所定期間（例えば、３０秒間）送信する（ステップＳ３０）。
【００４９】
次いで、リモコン装置２４の位置検出信号受信部１５が、受信用のアンテナ１４を介して、電子機器本体２から送信された識別コードＲ３を含む位置検出信号を受信するとともに、当該位置検出信号がＣＰＵ１７に入力される（ステップＳ３１）。そして、リモコン装置２４のＣＰＵ１７は、受信した位置検出信号に含まれる識別コードＲ３が、リモコン装置２４の識別コード記憶部１９で記憶している識別コードと一致しているか否かを解析する。即ち、リモコン装置２４においては、設定されている識別コード（即ち、識別コード記憶部１９で記憶している識別コード）がＲ３であり、受信した位置検出信号に含まれる識別コードＲ３と一致しているため、リモコン装置２４のＣＰＵ１７は、報知部１６に対して、リモコン装置２４の位置を報知するように制御信号を発生する。そうすると、報知部１６において、音声データ処理部４１が、音声データ記憶部４０に記憶された音声データのうち、識別コードＲ３に対応する音声データを読み出すとともに、当該音声データを処理して音声信号に変換し、発音部材４２が、所定期間（例えば、３０秒間）、音声データ処理部４１により変換された、識別コードＲ３に対応する音声信号に基づいて、リモコン装置３の発音部材４２、およびリモコン装置２３の発音部材４２が発生している音声と異なる音声を発生して、リモコン装置２４の位置をユーザーに報知する（ステップＳ３２）。
【００５０】
この際、各リモコン装置３，２３，２４の発音部材４２は、それぞれ異なる音声を発生しているため、ユーザーは、所在の判らなくなったリモコン装置２４を音声により識別することが容易になり、所在の判らなくなったリモコン装置２４を容易に探索することが可能になる。即ち、上述のごとく、設定された全ての識別コードＲ１〜Ｒ３により、所在の判らなくなったリモコン装置２４を探す場合であっても、識別コードＲ１〜Ｒ３が設定された複数のリモコン装置３，２３，２４において異なる音声が発生することになるため、所在の判らなくなったリモコン装置２４を音声により識別することが容易になり、結果として、所在が判らなくなったリモコン装置の探索が容易になる。
【００５１】
リモコン装置２４の所在が判明した場合、発音部材４２により発生している音声の報知を強制的に停止させ、報知部１６による報知を停止させる必要があるため、リモコン装置３，２３，２４の各々における報知停止用スイッチ３６を操作することにより、報知部１６による報知を停止させることができる（ステップＳ３３）。より具体的には、報知停止用スイッチ３６の操作が行われると、ＣＰＵ１７は、報知部１６に対して制御信号を発生し、報知部１６における発音部材４２による音声の報知を停止させる。
【００５２】
なお、リモコン装置３（または、リモコン装置２３）の所在が判らなくなった場合も、上述のステップＳ２１〜Ｓ３３と同様のステップにより、所在の判らなくなったリモコン装置３（または、リモコン装置２３）を探索することができる。
【００５３】
以上に説明した本実施形態によれば、以下の効果を得ることができる。
（２）本実施形態の電子機器１においては、報知部１６が、複数の異なる音声データが記憶された音声データ記憶部４０と、複数のリモコン装置３，２３，２４の各々において設定された識別コードＲ１〜Ｒ３に対応して、複数の異なる音声データのうち、いずれか１つの音声データを処理して音声信号に変換する音声データ処理部４１と、音声データ処理部４１により変換された音声信号に基づいて音声を発生する発音部材４２を有する構成としている。従って、所在の判らなくなったリモコン装置（例えば、リモコン装置２４）の識別コードが不明であり、設定された全ての識別コードＲ１〜Ｒ３により、所在の判らなくなったリモコン装置２４を探す場合であっても、識別コードＲ１〜Ｒ３が設定された複数のリモコン装置３，２３，２４の各々において異なる音声が発生することになる。従って、所在の判らなくなったリモコン装置２４を音声により識別することが容易になり、結果として、所在が判らなくなったリモコン装置２４の探索が非常に容易になる。
【００５４】
なお、上記実施形態は以下のように変更しても良い。
・図６に示すように、第１の実施形態におけるリモコン装置３，２３，２４の各々において、発音部材２５〜２７において発生する音声を変更するための音声変更処理部５０を更に備える構成としても良い。この場合、例えば、図２に示すリモコン装置３において、ユーザーにより、リモコン装置３の操作部１１に設けられた音声変更ボタン３７の操作が行われると、ＣＰＵ１７は、発音部材２５（または、発音部材２６，２７）が発生する音声を変更するように制御信号を発生し、音声変更処理部５０が、当該制御信号に基づいて、発音部材２５（または、発音部材２６，２７）が発生する音声を変更するための処理を行う構成とすることができる。このような構成により、ユーザーが、発音部材２５〜２７において発生される音声を、好みの音声に任意に設定することが可能になる。なお、リモコン装置２３，２４においても、リモコン装置３と同様の構成により、同様の効果を得ることが可能になる。
【００５５】
・図７に示すように、第２の実施形態におけるリモコン装置３，２３，２４の各々において、音声データ記憶部４０に記憶された音声データを変更するための音声データ変更処理部５１を更に備える構成としても良い。この場合、例えば、図２に示すリモコン装置３において、ユーザーにより、リモコン装置３の操作部１１に設けられた音声変更ボタン３７の操作が行われると、ＣＰＵ１７は、音声データ記憶部４０に記憶された音声データを変更するように制御信号を発生し、音声データ変更処理部５１が、当該制御信号に基づいて、音声データ記憶部４０に記憶された音声データを変更するための処理を行う構成とすることができる。このような構成により、ユーザーが、発音部材４２において発生される音声を、好みの音声に任意に設定することが可能になる。なお、リモコン装置２３，２４においても、リモコン装置３と同様の構成により、同様の効果を得ることが可能になる。
【００５６】
・また、上記実施形態においては、電子機器１としてテレビ受信装置を例に挙げて説明したが、本発明は、例えば、パーソナルコンピュータ、エアコン、カーナビゲーション装置等の電子機器においても適用できることは言うまでもない。
【産業上の利用可能性】
【００５７】
本発明の活用例としては、ロケータ機能を有する、リモコン装置を備えたテレビ受信装置等の電子機器が挙げられる。
【図面の簡単な説明】
【００５８】
【図１】本発明の第１の実施形態に係る電子機器の全体構成を示す概略図である。
【図２】本発明の第１の実施形態に係るリモコン装置の外観を示す図である。
【図３】本発明の第１の実施形態に係る電子機器において、リモコン装置を探索する際の手順を示すフローチャートである。
【図４】本発明の第２の実施形態に係る電子機器の全体構成を示す概略図である。
【図５】本発明の第２の実施形態に係る電子機器において、リモコン装置を探索する際の手順を示すフローチャートである。
【図６】本発明の第１の実施形態に係る電子機器の変形例を説明するための概略図である。
【図７】本発明の第２の実施形態に係る電子機器の変形例を説明するための概略図である。
【符号の説明】
【００５９】
１…電子機器、２…電子機器本体、３…リモコン装置、５…リモコン信号受信部、６…操作スイッチ、７…識別コード記憶部、９…位置検出信号送信部、１０…ＣＰＵ（第１の制御部）、１１…操作部、１２…リモコン信号送信部、１５…位置検出信号受信部、１６…報知部、１７…ＣＰＵ（第２の制御手段）、１９…識別コード記憶部、２１…操作キー、２３…リモコン装置、２４…リモコン装置、２５…発音部材、２６…発音部材、２７…発音部材、３６…報知停止用スイッチ、４０…音声データ記憶部、４１…音声データ処理部、４２…発音部材、５０…音声変更処理部、５１…音声データ変更処理部、Ｒ１…識別コード、Ｒ２…識別コード、Ｒ３…識別コード
【図１】
2009253452.tif 000003
【図２】
2009253452.tif 000004
【図３】
2009253452.tif 000005
【図４】
2009253452.tif 000006
【図５】
2009253452.tif 000007
【図６】
2009253452.tif 000008
【図７】
2009253452.tif 000009